(57)【特許請求の範囲】
【請求項１】
配線と、当該配線が通過する胴部と、
前記胴部の一端部側に配置される蓋部と、
前記胴部の他端部側に配置される支持部とを備え、
前記蓋部は、肩部と、当該肩部を介して前記胴部に連結される腕部を備え、
前記胴部の軸方向における、前記腕部の端部の位置は前記肩部と前記支持部の間にあり、
前記肩部は、前記胴部の軸方向に対して交差する方向にて、前記胴部から延在しており、
前記肩部から前記腕部に至る形状は屈曲しており、
前記支持部に対面する前記肩部の傾斜面と前記胴部に対面する前記腕部の傾斜面の交差位置は、前記胴部の軸方向において、前記肩部の基端位置より前記蓋部側にあることを特徴とするスピーカ装置用配線取付部材。
【請求項２】
前記交差位置は、前記胴部の軸方向にて延在して前記支持部の外周縁を通過する前記支持部の延長軸上に位置する、又は前記延長軸に対して外側に位置することを特徴とする請求項１記載のスピーカ装置用配線取付部材。
【請求項３】
前記胴部側における前記肩部の端部の厚さは、前記腕部の厚さより大きいことを特徴とする請求項２に記載のスピーカ装置用配線取付部材。
【請求項４】
前記蓋部が有する天面部は、前記胴部の軸方向に対して交差するとともに、前記支持部に向けて傾斜する傾斜面を備え、
前記胴部は前記天面部の傾斜面を備えることを特徴とする請求項３に記載のスピーカ装置用配線取付部材。
【請求項５】
前記胴部の径方向における前記支持部の外周縁と前記腕部の端部との間の距離は、前記胴部の径方向における前記胴部の側面と前記支持部の外周縁との間の距離に対して略同じ、又は小さいことを特徴とする請求項４記載のスピーカ装置用配線取付部材。
【請求項６】
振動体と駆動部とを有するスピーカユニットと、請求項１に記載のスピーカ装置用配線取付部材と、前記スピーカ装置用配線部材が取り付けられる被取付部材とを備え、
前記駆動部と外部とを電気的に接続する前記配線は、前記スピーカ装置用配線取付部材の孔部を通過しており、
前記被取付部材は前記配線が通過する開口部を有する被接触部を備え、
前記胴部は、前記開口部内に配置され、
前記蓋部は、前記開口部を覆っており、
前記被取付部材の被接触部は、前記腕部の端部と接触する第１の被接触部および前記支持部と接触する第２の被接触部を備え、
前記第１の被接触部および前記第２の被接触部は、前記開口部の外側に配置されることを特徴とするスピーカ装置。
【請求項７】
前記第２の被接触部は、前記開口部の周方向に延在する立設部を備え、
前記立設部は、傾斜面部と、当該立設部に対して前記支持部の位置を規制する規制部とを備えることを特徴とする請求項６に記載のスピーカ装置。
【発明の詳細な説明】
【技術分野】
【０００１】
本発明は、スピーカ装置用配線取付部材及びこのスピーカ装置用配線取付部材によって配線が取り付けられたスピーカ装置に関するものである。
【背景技術】
【０００２】
電子機器の配線を電子機器のケースに取り付けるための部材としては、配線と一体に成形される弾性可撓部材からなるブッシュが知られている。下記特許文献１に記載された従来技術はブッシュを用いた配線の取付構造であり、ブッシュの先端をケースの長穴に挿入し、その挿入終端にて回すことで、そのブッシュと一体の配線をケースに固定している。
【０００３】
この従来技術によると、ブッシュは、配線に軟質樹脂にて一体的に形成され、ケースの長穴に沿った形状でこの長穴に挿入可能な第１の段部と、長穴の短径方向より短い長さを直径とする略円形状でケースの厚みと略等しい厚さを有する第２の段部と、長穴の周囲の円筒内面より小さい略円形状の第３の段部とを備えている。そして、第１の段部を長穴に挿入し、円筒内面と第３の段部の端面とが当接した位置でブッシュを回すと、第１の段部の側面が円筒内面と逆側の長穴の周囲に形成された凸部を乗り越えて、第１の段部の側面と凸部とが当接した状態で固定される。また、長穴と凸部との間にはテーパ面が設けられ、第１の段部はテーパ面に沿って回転して凸部上に載る。
【先行技術文献】
【特許文献】
【０００４】
【特許文献１】特開平０４−２７４１１６公報
【発明の概要】
【発明が解決しようとする課題】
【０００５】
スピーカ装置は駆動部と振動体を有するスピーカユニットを備えており、その駆動部に配線が接続されている。一方、スピーカユニットの振動体はその前面に音を放射するだけでなく背面側の空間にも音や振動を伝えるので、駆動部に接続された配線が振動体の振動の影響を受けて振動することがあり、この配線の振動によって異音が発生しないように配線を適正に固定することが求められる。
【０００６】
また、スピーカ装置は、振動体の背面側に伝わる音を遮蔽するために、振動体の背面側に密閉空間を形成する場合がある。この場合には、駆動部に接続される配線は密閉空間を形成する壁に孔を開けてそこから外部に引き出されることになる。この際、密閉空間の気密を維持するために配線が通った孔を気密に塞ぐことが求められる。
【０００７】
従来技術のような配線の取付構造をスピーカ装置に適用すると、配線が被取付部材にしっかりと固定されず、配線に伝わった振動によって発生する異音を抑止できない場合がある。また、振動体の背面側に密閉空間を有するスピーカ装置に従来技術のような配線の取付構造を適用すると、配線が通った孔がブッシュによって塞がれていないので、振動体の背面側に密閉空間を形成できないという問題がある。
【０００８】
本発明は、このような問題に対処することを課題の一例とするものである。すなわち、スピーカ装置に対して配線を適正に固定すること、スピーカ装置の振動体の背面側に密閉空間を形成すること、等が本発明の目的である。
【課題を解決するための手段】
【０００９】
このような目的を達成するために、本発明は、以下の構成を少なくとも具備するものである。
【００１０】
配線と、当該配線が通過する胴部と、前記胴部の一端部側に配置される蓋部と、前記胴部の他端部側に配置される支持部とを備え、前記蓋部は、肩部と、当該肩部を介して前記胴部に連結される腕部を備え、前記胴部の軸方向における、前記腕部の端部の位置は前記肩部と前記支持部の間にあり、前記肩部は、前記胴部の軸方向に対して交差する方向にて、前記胴部から延在しており、前記腕部は、前記胴部の軸方向にて、前記肩部から延在しており、前記支持部に対面する前記肩部の側面は、前記支持部から前記蓋部に向かう方向に傾斜する傾斜面を備え、前記傾斜面は、前記胴部の側面から延びていることを特徴とするスピーカ装置用配線取付部材。
【図面の簡単な説明】
【００１１】
【図１】本発明の一実施形態に係るスピーカ装置用配線取付部材を示した説明図である。
【図２】本発明の一実施形態に係るスピーカ装置用配線取付部材を示した説明図である。
【図３】本発明の実施形態に係るスピーカ装置を示す説明図である。
【図４】スピーカ装置用配線取付部材を取り付けるための被取付部材側の構造を示した説明図である。
【図５】被取付部材にスピーカ装置用配線取付部材を取り付けた状態を示す説明図である。
【図６】被取付部材にスピーカ装置用配線取付部材を取り付けた状態を示す説明図である。
【発明を実施するための形態】
【００１２】
以下、図面を参照しながら本発明の実施形態を説明する。図１及び図２は本発明の一実施形態に係るスピーカ装置用配線取付部材を示した説明図である。図１（ａ）は全体構造を示した斜視図であり、図１（ｂ）は同図（ａ）におけるＸ−Ｘ断面図である。
【００１３】
スピーカ装置用配線取付部材１０は、スピーカ装置（図３参照）に電気的に接続される配線２をスピーカ装置の被取付部材３（図２参照）に取り付ける部材である。スピーカ装置用配線取付部材１０は、一つの軸方向（Ｚ方向）に沿って配線２が通過する胴部１１と、胴部１１の一端部側に配置される蓋部１２と、胴部１１の他端部側に配置される支持部１３とを備えている。
【００１４】
胴部１１と蓋部１２と支持部１３は弾性部材で一体成形することができる。弾性部材としては、変形可能な部材、伸縮可能な部材、復元力を有する部材等が挙げられる。具体的には、樹脂材料、ゴム等が挙げられる。弾性部材は、被取付部材３を構成する部材に対して、比較的小さいヤング率および比較的大きい内部損失を備えるものでもよい。比較的小さいヤング率を弾性部材が備えることで、被取付部材３にスピーカ装置用配線取付部材１０を取り付ける際、弾性部材が変形して、被取付部材３への取り付けが容易になる。また、比較的大きいヤング率を弾性部材が備えることで、スピーカ装置用配線取付部材１０が後述する配線の振動を減衰させ、被取付部材３へ振動が伝播することを抑止できる。また、胴部１１と蓋部１２と支持部１３は必要に応じて別部材で構成しても構わない。
【００１５】
蓋部１２は、肩部１２Ｃと、肩部１２Ｃを介して胴部１１に連結される腕部１２Ｂを備えている。胴部１１の軸方向における、腕部１２Ｂの端部１２Ａの位置は肩部１２Ｃと支持部１３の間にある。肩部１２Ｃは、胴部１１の軸方向に対して交差する方向にて胴部１１から延在している。腕部１２Ｂは、胴部１１の軸方向にて肩部１２Ｃから延在している。支持部１３に対面する肩部１２Ｃの側面１２Ｃ１は、支持部１３から蓋部１２に向かう方向に傾斜する傾斜面１２Ｃ２を備えている。傾斜面１２Ｃ２は、胴部１１の側面１１Ｂから延びている。以下、支持部１３に対面する肩部１２Ｃの側面１２Ｃ１を肩部１２Ｃの内面という。
【００１６】
胴部１１は、一軸方向（Ｚ方向）に貫通する孔部１１Ａを備えている。孔部１１Ａには配線２が配置されている。蓋部１２における腕部１２Ｂの端部１２Ａは被取付部材３の一方の側の面に接触する。蓋部１２は、図示の例では、肩部１２Ｃが胴部１１から胴部１１の軸方向（Ｚ方向）と交差する方向に延在し、腕部１２Ｂが肩部１２Ｃから胴部１１の軸方向（Ｚ方向）に沿った方向に延在している。肩部１２Ｃの支持部１３に対面する内面（側面）１２Ｃ１は、胴部１１の側面１１Ｂ（外面）から延在して、支持部１３から離れる向きに傾斜する傾斜面１２Ｃ２を備える。また、胴部１１の軸方向における傾斜面１２Ｃ２と支持部１３との距離は、胴部１１近傍より腕部１２Ｂ（外側）近傍の方が大きくなっている。このように、胴部１１から外側へと離れるにつれて、胴部１１の軸方向における傾斜面１２Ｃ２と支持部１３との距離が大きくなる方向に、傾斜面１２Ｃ２は傾斜している。
【００１７】
スピーカ装置用配線取付部材１０は、スピーカ装置の被取付部材３における開口部又は切り欠き部などに取り付けられて配線２を固定する。開口部又は切り欠き部などを介して、被取付部材３で囲まれるスピーカ装置内の空間は外部に連通する。この際、スピーカ装置用配線取付部材１０の胴部１１が配線を支持し、蓋部１２が被取付部材３の開口部又は切り欠き部を塞ぐ。支持部１３はスピーカ装置用配線取付部材１０を被取付部材３に連結する連結部になるとともに、被取付部材３の構造と協働して、蓋部１２によって加わる力を開口部又は切り欠き部の外側又は周囲における被取付部材の一部に作用させる。
【００１８】
スピーカ装置用配線取付部材１０は、配線２を支持する胴部１１から外側に張り出した肩部１２Ｃ及び腕部１２Ｂを介して端部１２Ａが被取付部材３に接触する。このため、配線２に振動が加わった場合に胴部１１から肩部１２Ｃ及び腕部１２Ｂの一部分で振動が減衰し、配線２の振動に伴う異音の発生を抑止することができる。この際、支持部１３に対面する肩部１２Ｃの内面１２Ｃ１は、支持部１３から蓋部１２に向かう方向に傾斜する傾斜面１２Ｃ２を有する。すなわち、胴部１１の側面１１Ｂ（外面）から延在して支持部１３と離れる向きに傾斜する傾斜面１２Ｃ２を備える。これによって、肩部１２Ｃから腕部１２Ｂを介して被取付部材３に接触する端部１２Ａに至る部分の長さを十分に確保することができ、前述したように配線２の振動を減衰させることができる。
【００１９】
また、胴部１１の側面１１Ｂに対面する腕部１２Ｂの側面１２Ｂ１は、肩部１２Ｃの内面１２Ｃ１から延びる傾斜面１２Ｂ２を備えており、傾斜面１２Ｂ２は肩部１２Ｃから外側（径方向）に向かって傾斜している。腕部１２Ｂの側面１２Ｂ１は肩部１２Ｃの内面１２Ｃ１から連続する面であり、以下これを腕部１２Ｂの内面という。腕部１２Ｂの内面（側面）１２Ｂ１は肩部１２Ｃの内面１２Ｃ１から連続して腕部１２Ｂの端部１２Ａまでに至る。このように、肩部１２Ｃから腕部１２Ｂを介して端部１２Ａに至るスピーカ装置用配線取付部材１０の一部分が傾斜面１２Ｃ２及び傾斜面１２Ｂ２を有することで、肩部１２Ｃ又は腕部１２Ｂが弾性変形して端部１２Ａを被取付部材３の一方の側の面に対して外力を作用させつつ接触させることができ、蓋部１２により被取付部材３の開口部又は切り欠き部を塞いで、スピーカ装置内の空間を気密にすることができる。
【００２０】
図２は、スピーカ装置用配線取付部材の各部の構造を更に詳細に説明するための断面図である。図示に基づいて、肩部１２Ｃから腕部１２Ｂ及び端部１２Ａに至るスピーカ装置用配線取付部材の一部分の更に詳細な構造例を示す。肩部１２Ｃの内面１２Ｃ１は図示のＸ方向に対してややＺ方向に傾いた傾斜面１２Ｃ２を備えており、腕部１２Ｂの内面１２Ｂ１はＺ方向からややＸ方向に傾いた傾斜面１２Ｂ２を備えている。これによると、肩部１２Ｃから腕部１２Ｂ及び端部１２Ａに至るスピーカ装置用配線取付部材１０の一部分の断面が屈曲した断面形状を有し、これによって前述したように、配線２の振動を減衰させ、蓋部１２によって被取付部材３に作用する外力を比較的大きくすることができる。
【００２１】
図２に示すように、胴部１１の側面１１Ｂと肩部１２の内面１２Ｃ１との交差位置を、肩部１２Ｃの内面１２Ｃ１の基端位置１１Ｃとして、胴部１１の軸方向における、胴部１１の側面１１Ｂに対面する肩部１２Ｃの内面１２Ｃ１と、胴部１１の側面１１Ｂに対面する腕部１２Ｂの内面１２Ｂ１との交差位置Ｐは、肩部１２Ｃの内面１２Ｂ１の基端位置１１Ｃに対して蓋部１２側に離れて配置されている。すなわち、図示の距離Ｚ１（支持部１３から、肩部１２Ｃの内面１２Ｃ１と腕部１２Ｂの内面１２Ｂ１との交差位置Ｐまでの距離）が距離Ｚ２（支持部１３から、肩部１２Ｃの内面１２Ｃ１の基端位置１１Ｃまでの距離）より大きくなっている。これによって、肩部１２Ｃから腕部１２Ｂ及び端部１２Ａに至るスピーカ装置用配線取付部材１０の一部分が屈曲した断面形状を有するので、前述した配線２の振動が減衰し、蓋部１２による被取付部材３に作用する外力を比較的大きくすることができる。
【００２２】
また、図２に示すように、胴部１１の側面１１Ｂに対面する肩部１２Ｃの内面１２Ｃ１と、胴部１１の側面１１Ｂに対面する腕部１２Ｂの内面１２Ｂ１との交差位置Ｐは、胴部１１の軸方向にて延在して支持部１３の外周縁１３Ａを通過する支持部１３の延長軸（Ｘａ軸）上に位置する、又は延長軸（Ｘａ軸）に対して外側に位置する。これによると、肩部１２Ｃを胴部１１の側面１１Ｂに対して十分に外側に配置することができ、径方向における肩部１２Ｃの長さを十分に大きくすることができ、肩部１２Ｃの変形量が比較的大きくなる。また、肩部１２Ｃの変形量が比較的大きくなるので、被取付部材３に対する腕部１２Ｂを後述する自然位置に近づけることができ、被取付部材３に対して作用する外力を比較的大きくすることができる。言い換えれば、被取付部材３に腕部１２Ｂが接触した後における腕部１２Ｂが延在する方向を、被取付部材３に腕部１２Ｂが接触する前における腕部１２Ｂが延在する方向に対して、略同じにできる、または、これらの方向が大きく変化することを抑止することができる。
【００２３】
図２に示した例では、肩部１２Ｃの内面１２Ｃ１は直線状の断面形状を有し、腕部１２Ｂの内面１２Ｂ１は湾曲状の断面形状を有する。これによると、端部１２Ａが被取付部材３に接触する際に、腕部１２Ｂが延在する方向が大きく変化することを抑止することができる。また、腕部１２Ｂは被取付部材３に比較的大きい外力を作用させることができる。これによると、スピーカ装置用配線取付部材１０によってスピーカ装置内の空間を気密にすることができる。
【００２４】
図２に示すように、胴部１１側における肩部１２Ｃの端部の厚さｔ１は、腕部１２Ｂの厚さｔ２より大きい。これによると、肩部１２Ｃの端部の厚さｔ１を比較的大きくすることで、端部１２Ａが被取付部材３に接触する前の位置（自然位置）に対し、端部１２Ａが被取付部材３に接触した後の位置が外側に大きくズレることを抑止することができる。このズレを比較的小さくすることで、腕部１２Ｂは被取付部材３へ比較的大きい外力を作用させることができる。
【００２５】
図２に示す例では、蓋部１２が有する天面部１２Ｄは、胴部１１の軸方向に対して交差するとともに、支持部１３に向けて傾斜する傾斜面１２Ｄ１を備える。この天面部１２Ｄの傾斜面１２Ｄ１は胴部１１の一部であり、胴部１１が傾斜面１２Ｄ１を備える。図示の例では、天面部１２Ｄの傾斜面１２Ｄ１は直線状の断面形状を有する。そして、天面部１２Ｄの傾斜面１２Ｄ１の傾斜方向と、肩部１２Ｃが胴部１１から延在する方向と、腕部１２Ｂが肩部１２Ｃから延在する方向は、互いに交差する。また、図示の例では、天面部１２Ｄ側に設けられる肩部１２Ｃおよび腕部１２Ｂの側面（以下、蓋部１２における天面部１２Ｄの側面を外面という）は、天面部１２Ｄの傾斜面１２Ｄ１に連続するとともに、湾曲状の断面形状を有する。
【００２６】
すなわち、蓋部１２の天面部１２Ｄは、Ｘ方向からややＺ方向に対し逆側に向けて傾斜する傾斜面１２Ｄ１を有している。また、天面部１２Ｄから連続する肩部１２Ｃの外面は、天面部１２Ｄの傾斜面１２Ｄ１に対して更にＺ方向に対し逆側に傾斜しており、肩部１２Ｃから連続する腕部１２Ｂの外面は肩部１２Ｃの外面に対して更にＺ方向と逆側に傾斜している。このように天面部１２Ｄを含む蓋部１２の外面は、天面部１２Ｄから肩部１２Ｃ及び腕部１２Ｂにかけて徐々に傾斜する。言い換えれば、天面部１２Ｄを含む蓋部１２の外面とＸ方向との成す角度（傾斜角）は、天面部１２Ｄから肩部１２Ｃ及び腕部１２Ｂにかけて徐々に大きくなっている。よって、被取付部材３に端部１２Ａが接触する前における端部１２Ａの位置（自然位置）に対して被取付部材３に端部１２Ａが接触した後における端部１２Ａの位置が外側に大きくズレることを抑止できる。このズレを比較的小さくすることで、腕部１２Ｂが被取付部材３に比較的大きい外力を作用させることができる。特に、天面部１２Ｄから連続する肩部１２Ｃ及び腕部１２Ｂの外面を湾曲状の断面形状にすることで、被取付部材３に端部１２Ａが接触する前における端部１２Ａの位置（自然位置）に対して被取付部材３に端部１２Ａが接触した後における端部１２Ａの位置が外側に大きくズレることを抑止できる。このズレを比較的小さくすることで、腕部１２Ｂが被取付部材３に比較的大きい外力を作用させることができる。
【００２７】
図２に示す例において、肩部１２Ｃに対面する支持部１３の側面１３Ｃと支持部１３の外周縁１３Ａとの交差位置Ｑおよび腕部１２Ｂの端部１２Ａにおける頂部１２Ａ１を通過する方向（図示Ｌ１方向）は、胴部１１の側面１１Ｂに対面する肩部１２Ｃの内面１２Ｃ１が延在する方向（傾斜面１２Ｃ２の方向：図示Ｌ２方向）に対して略平行である。また、胴部１１の径方向における支持部１３の外周縁１３Ａと腕部１２Ｂの端部１２Ａとの間の距離（図示の距離Ｘ１）は、胴部１１の径方向における胴部１１の側面１１Ｂと支持部１３の外周縁１３Ａとの間の距離（図示の距離Ｘ２）に対して略同じ、又は小さい。距離Ｘ１を距離Ｘ２に対して略同じ、又は小さくすることで、被取付部材３に端部１２Ａが接触する前における端部１２Ａの位置（自然位置）に対して被取付部材３に端部１２Ａが接触した後における端部１２Ａの位置が外側に大きくズレることを抑止できる。このズレを比較的小さくすることで、腕部１２Ｂが被取付部材３に比較的大きい外力を作用させることができる。
【００２８】
図３は、本発明の実施形態に係るスピーカ装置を示す説明図である。スピーカ装置１は、振動体５と駆動部６とを有するスピーカユニット１Ａと、スピーカ装置用配線取付部材１０と、スピーカ装置用配線取付部材が取り付けられる被取付部材３とを備える。駆動部６と外部とを電気的に接続する配線２は、スピーカ装置用配線取付部材１０の孔部１１Ａを通過している。
【００２９】
振動体５は、振動板５Ａとエッジ５Ｂを備えている。駆動部６は、ボイスコイル６Ａと磁石６Ｂ１とヨーク６Ｂ２とプレート６Ｂ３を有する磁気回路６Ｂを備えている。配線２はボイスコイル６Ａと外部とを電気的に接続するものであり、フレーム７に設けられる端子部７Ａにボイスコイル６Ａから引き出されるリード線６Ａ１が接続され、端子部７Ａを介して配線２とリード線６Ａ１が接続されている。振動体５はダンパ８を介してフレーム７に支持されている。
【００３０】
被取付部材３は配線２が通過する開口部３Ａを有する被接触部３１（図４参照）を備えている。スピーカ装置用配線取付部材１０は、前述した胴部１１が開口部３Ａ内に配置され、蓋部１２が開口部３Ａを覆っている。図示の例では、被取付部材３はキャビネット４である。スピーカ装置用配線取付部材１０は、外部に対してキャビネット４内の空間を気密に塞いでいる。
【００３１】
図示のスピーカ装置１は、配線２によって外部から音声信号が入力されると振動板５Ａが振動して音波Ｓｆを放出する。この振動板５Ａの振動はキャビネット４内で音波Ｓｆとは逆位相の音波Ｓｂを発生させ、この音波Ｓｂはキャビネット４によりスピーカ装置１の音響放射側（音波Ｓｆが放出される側）に放射されることを抑止する。本発明のスピーカ装置１によると、音波Ｓｂ又はスピーカユニット１Ａから生じる振動によって配線２が振動する場合にも、スピーカ装置用配線取付部材１０が配線２の振動を減衰して、配線２による異音又は配線２とスピーカ装置１を構成する部材との接触による異音の発生を抑止する。また、配線２が通過する開口部３Ａをスピーカ装置用配線取付部材１０が塞ぐので、キャビネット４内の空間を密閉することができ、スピーカ装置４は良好な音響特性を提供することができる。
【００３２】
図４はスピーカ装置用配線取付部材を取り付けるための被取付部材側の構造を示した説明図である。図４（ａ）が開口部を一方側（外側）からみた斜視図であり、図４（ｂ）が開口部を他方側（内側）からみた斜視図である。
【００３３】
被取付部材３の被接触部３１は、腕部１２Ｂの端部１２Ａと接触する第１の被接触部３Ｂおよび支持部１３と接触する第２の被接触部３Ｃを備える。また、第１の被接触部３Ｂおよび第２の被接触部３Ｃは、開口部３Ａの外側又はその周囲に配置される。第１の被接触部３Ｂは被取付部材３の一方側（外側）の面に有り、第２の被接触部３Ｃは被取付部材３の他方側（内側）の面に有る。被取付部材３は、第１の被接触部３Ｂから第２の被接触部３Ｃに向かう方向に凸状の収容部３Ｄを備え、収容部３Ｄは、第１の被接触部３Ｂ側に配置されるスピーカ装置用配線取付部材１０の一部（蓋部１２）を収容する。なお、図示の例では収容部３Ｄはキャビネット４の外側に設けられているが、キャビネット４の内側に設けても構わなく、スピーカ装置用配線取付部材１０の蓋部１２はキャビネット４の内側に配置されても構わない。
【００３４】
キャビネット４は収容部３Ｄを備えることで、スピーカ装置用配線取付部材１０をキャビネット４から突出させることを抑止できるので、スピーカ装置１を小型化できる。また、収容部３Ｄがキャビネット４の内側に配置される場合には、スピーカ装置用配線取付部材１０によるキャビネット４内の容積の減少を抑止でき、スピーカ装置１は良好な音響特性を提供することができる。
【００３５】
図示の例では、開口部３Ａの外側又は周囲における被取付部材３の被接触部３１において、一方側（外側）の面に凹状の収容部３Ｄが設けられ、他方側（内側）の面では収容部３Ｄに対応する凸部３Ｅが設けられる。また、被接触部３１の内周部は、スピーカ装置用配線取付部材１０の支持部１３における突出部１３Ｂが通過できる切り欠き状部３Ａ１を備える。開口部３Ａは、被接触部３１の内周部で囲まれており、円形状の孔部と切り欠き部３Ａ１に対応する凹状の孔部で構成される。
【００３６】
第２の被接触部３Ｃは、開口部３Ａの周方向にて規定の長さを有する立設部３Ｃ１を備えている。立設部３Ｃ１は、傾斜面部３Ｃ２と、立設部３Ｃ１に対して支持部１３の位置を規制する規制部３Ｃ３とを備えている。スピーカ装置用配線取付部材１０の支持部１３は、立設部３Ｃ１の上であって、傾斜面部３Ｃ２と規制部３Ｃ３との間に配置される。傾斜面部３Ｃ２と支持部１３との間には、規定の間隔が設けられている。
【００３７】
スピーカ装置用配線取付部材１０における支持部１３は胴部１１から外側に突出する一対の突出部１３Ｂを備える。一対の突出部１３Ｂは、胴部１１の中央部を通過する一方向を規定している。第２の被接触部３Ｃは、立設部３Ｃ１を一対備えている。図示の例では、胴部１１の中央部には、孔部１１Ａおよび配線２が設けられているが、孔部１１Ａ、配線２の位置は図示の例に限定されることなく、適宜変更できる。立設部３Ｃ１は、傾斜面部３Ｃ２と、規制部３Ｃ３としての第１の規制部３Ｃ３ａと第２の規制部３Ｃ３ｂとを備える。第１の規制部３Ｃ３ａは、傾斜面部３Ｃ２に隣接して配置される。第２の規制部３Ｃ３ｂは、第１の規制部３Ｃ３ａと離間して配置される。
【００３８】
スピーカ装置用配線取付部材１０における支持部１３の突出部１３Ｂは、第１の規制部３Ｃ３ａと第２の規制部３Ｃ３ｂとの間に配置される。立設部３Ｃ１は、第１の規制部３Ｃ３ａと第２の規制部３Ｃ３ｂとの間に配置される凹部３Ｃ４を備え、支持部１３の突出部１３Ｂが凹部３Ｃ４に配置される。突出部１３Ｂが凹部３Ｃ４に配置されることで、スピーカ装置用配線取付部材１０が回転等することで被取付部材３から外れてしまうことを抑止できる。
【００３９】
図５及び図６は、被取付部材にスピーカ装置用配線取付部材を取り付けた状態を示す説明図である。図５（ａ）が一方側（外側）からみた状態、図５（ｂ）が他方側（内側）からみた状態を示している。被取付部材３にスピーカ装置用配線取付部材１０と取り付けるには、先ず、被取付部材３の一方側から開口部３Ａに支持部１３を挿入する。スピーカ装置用配線取付部材１０の支持部１３は突出部１３Ｂを有し、被取付部材３の開口部３Ａは図４（ａ）に示すように突出部１３Ｂに対応する切り欠き部３Ａ１を有するので、開口部３Ａに支持部１３を挿入した後、支持部１３を開口部３Ａに対して周方向にて回転させると突出部１３Ｂが切り欠き部３Ａ１から外れた位置に配置され、突出部１３は被接触部３１から抜けにくくなる。
【００４０】
この際、支持部１３の突出部１３Ｂは、被取付部材３の傾斜面部３Ｃ２に案内されて、図５（ｂ）に示すように、立設部３Ｃ１上の凹部３Ｃ４に嵌り込む。そうすると、立設部３Ｃ１の高さ分だけスピーカ装置用配線取付部材１０は他方側（内側）に引き寄せられることになる。すなわち、支持部１３の突出部１３Ｂは、立設部３Ｃ１の外側における被取付部材３の一部分に対し、立設部３Ｃ１の高さ分だけ、高い位置に配置される。よって、スピーカ装置用配線取付部材１０が他方側（内側）に引き寄せられることで、スピーカ装置用配線取付部材１０の蓋部１２が被取付部材１０の一方側の第１の被接触部３Ｂに比較的大きい外力を作用させつつ、蓋部１２の端部１２Ａが第１の被接触部３Ｂに接触する。また、支持部１３の突出部１３Ｂが立設部３Ｃ１の外側における被取付部材３の一部分に対して高く配置される際、肩部１２Ｃ、腕部１２Ｂの変形とともに、胴部１１の軸方向にて、胴部１１に変形が生じる。言い換えれば、被取付部材３から被取付部材３の内側に向かう方向、又は被取付部材３から被取付部材３の外側に向かう方向にて、胴部１１は引き伸ばされる。この胴部１１の引き伸ばしに対して、胴部１１には被取付部材３の内側から被取付部材３に向かう方向、又は被取付部材３の外側から被取付部材３に向かう方向にて、復元力が生じる。この復元力は肩部１２Ｃや腕部１２Ｂに生じ、被取付部材３に外力として作用する。よって、スピーカ装置用配線取付部材１０に生じる復元力により、腕部１２Ｂは被取付部材３に比較的大きい外力を作用させることができる。このため、スピーカ装置用配線取付部材１０は、配線２を被取付部材３（キャビネット４）に取り付けるとともに、被取付部材３（キャビネット４）内の空間を密閉にすることができる。
【００４１】
図５（ａ）に示すように、スピーカ装置用配線取付部材１０の蓋部１２は、被取付部材３の収容部３Ｄ内に配置されて、開口部３Ａの全周にわたって、開口部３Ａを塞ぐことになる。一方、図５（ｂ）に示すように、スピーカ装置用配線取付部材１０の支持部１３は立設部３Ｃ１の凹部３Ｃ４に嵌っており、立設部３Ｃ１に対して支持部１３が位置決めされる。また、立設部３Ｃ１に対する支持部１３の回転は、凹部３Ｃ４又は規制部３Ｃ２および規制部３Ｃ３により規制される。
【００４２】
被取付部材３にスピーカ装置用配線取付部材１０が取り付けられると、図６に示すように、胴部１１の軸方向における腕部１２Ｂの端部１２Ａと第１の被接触部３Ｂとの接触位置１２Ａ１は、腕部１２Ｂの端部１２Ａの自然位置に対して肩部１２Ｃ側に配置される。また、胴部１１の径方向における腕部１２Ｂの端部１２Ａと第１の被接触部３Ｂとの接触位置１２Ａ１は、腕部１２Ｂの端部１２Ａの自然位置より外側に配置される。ここで前述した自然位置とは、蓋部１２が被取付部材３に触れる前の位置を指している。すなわち、支持部１３が立設部３Ｃ１に配置されて、蓋部１２が被取付部材３に引き寄せられることで、端部１２Ａの位置がＸ軸方向及びＺ方向に移動して接触位置１２Ａ１になる。この端部１２Ａの位置の移動は、以下のように考えられる。蓋部１２が被取付部材３に引き寄せられる際、蓋部１２の肩部１２ＣがＺ方向に変形する。この肩部１２Ｃの変形に伴って腕部１２ＣがＺ方向（例：被取付部材３の内側に向かう方向）に移動し、更に腕部１２ＣがＸ方向（外側に向かう方向）に変形する。この腕部１２Ｃの変形により、端部１２Ａの位置はＸ軸方向（外側に向かう方向）及びＺ方向（例：被取付部材３の内側に向かう方向）に移動する。
【００４３】
このようなスピーカ装置１は自動車への設置、オーディオ機器やテレビやテレビ台等の各種電子機器への搭載、建築物への設置が可能である。スピーカ装置１を備える自動車では、被取付部材としての自動車のドア等に、スピーカ装置１の振動が配線２を介して伝わった場合にも、配線２の振動をスピーカ装置用配線取付部材１０が減衰して、ドア等に異音が発生すること、又は配線とドア等の被取付部材との接触による異音の発生などを抑止することができる。スピーカ装置１を備える電子機器は、電子機器の筐体が被取付部材３になる場合であっても、被取付部材３に形成される開口部３Ａをスピーカ装置用配線取付部材１０が塞ぎ、筐体内の空間を気密にすることができる。スピーカ装置１を備える建築物は、建築物の壁材を被取付部材３とする場合であっても、被取付部材３に形成される開口部３Ａをスピーカ装置用配線取付部材１０が塞ぐので、壁材で囲まれる空間内を気密にすることができる。
【００４４】
以上、本発明の実施の形態について図面を参照して詳述してきたが、具体的な構成はこれらの実施の形態に限られるものではない。例えば、前述の図示の例では、支持部１３が被取付部材３の内側に配置され、蓋部１２が被取付部材３の外側に配置されているが、支持部１３が被取付部材３の外側であって、蓋部１２が被取付部材３の内側に配置されても構わなく、本発明の要旨を逸脱しない範囲の設計の変更等があっても本発明に含まれる。
【符号の説明】
【００４５】
１：スピーカ装置，１Ａ：スピーカユニット，２：配線，３：被取付部材，
３Ａ：開口部，３Ａ１：切り欠き部，３Ｂ：第１の被接触部，３Ｃ：第２の被接触部，
３Ｃ１：立設部，３Ｃ２：傾斜面部，３Ｃ３：規制部，
３Ｃ３ａ：第１の規制部，３Ｃ３ｂ：第２の規制部，３Ｃ４：凹部，
３Ｄ：収容部，４：キャビネット，
５：振動体，５Ａ：振動板，５Ｂ：エッジ，
６：駆動部，６Ａ：ボイスコイル，
６Ｂ：磁気回路，６Ｂ１：磁石，６Ｂ２：ヨーク，
１０：スピーカ装置用配線取付部材，
１１：胴部，１１Ａ：孔部，１１Ｂ：側面，１１Ｃ：基端位置，
１２：蓋部，１２Ａ：端部，
１２Ｂ：腕部，１２Ｂ１：内面（側面），１２Ｂ２：傾斜面，
１２Ｃ：肩部，１２Ｃ１：内面（側面），１２Ｃ２：傾斜面，
１２Ｄ：天面部，１２Ｄ１：傾斜面，
１３：支持部，１３Ａ：外周縁，１３Ｂ：突出部
【図１】
0005608124.tif 000002
【図２】
0005608124.tif 000003
【図３】
0005608124.tif 000004
【図４】
0005608124.tif 000005
【図５】
0005608124.tif 000006
【図６】
0005608124.tif 000007